(57)【特許請求の範囲】
【請求項１】
光学系を介して入力される被写体像を画像信号として出力する撮像手段と、前記画像信号から設定された範囲の合焦情報を含む撮像に必要なパラメータの評価値を生成する評価値生成手段と、前記画像信号に信号処理を施す信号処理手段と、前記光学系の前面にレンズ保護用のバリアを具備する撮像装置において、
起動時、若しくは撮影開始時に前記バリアの開動作を行うバリア駆動手段と、
前記バリアの開き状態を検出するバリア状態手段と、
前記バリアの開き状態に基づき、前記評価値生成手段でのパラメータの評価値設定内容を変更する手段を備えることを特徴とする撮像装置。
【請求項２】
光学系を介して入力される被写体像を画像信号として出力する撮像手段と、前記画像信号から少なくとも合焦情報、露光量およびホワイトバランスを含む撮像に必要なパラメータの評価値を生成する評価値生成手段と、前記画像信号に信号処理を施す信号処理手段と、前記光学系の前面にレンズ保護用のバリアを具備する撮像装置において、
起動時、若しくは撮影開始時に前記バリアの開動作を行うバリア駆動手段と、
前記バリアの開き状態を検出するバリア状態手段と、
前記バリアの開き状態に基づき、前記信号処理対象である前記パラメータの少なくとも一つを補正する手段を備えることを特徴とする撮像装置。
【請求項３】
請求項１または２記載の撮像装置において、
前記信号処理手段は露光（ゲイン）調整を対象として動作し、露光調整に応じて前記パラメータの評価値設定内容を変更する手段により絞り制御が実行されることを特徴とする撮像装置。
【請求項４】
請求項１記載の撮像装置において、
前記光学系を駆動して、ピント調整を行うフォーカス手段を具備し、
前記評価値設定内容を変更する手段は、前記評価値に基づいて、前記フォーカス手段の制御を行うことを特徴とする撮像装置。
【請求項５】
請求項１乃至４のうちの一つに記載の撮像装置において、
前記バリアの開き状態の検出は、前記画像信号の輝度分布若しくは該バリアの駆動部に対する制御状態に基づくことを特徴とする撮像装置。
【請求項６】
光学系を介して入力される被写体像を画像信号として出力する撮像手段と、前記画像信号から撮像に必要なパラメータの評価値を生成する評価値生成手段と、前記画像信号に信号処理を施す処理手段と、前記光学系は沈胴式光学系である撮像装置において、
前記沈胴式光学系の繰り出し状態を検出する手段と、
前記沈胴式光学系の繰り出し状態に基づき、前記信号処理のパラメータを補正する手段を備えることを特徴とする撮像装置。
【発明の詳細な説明】
【０００１】
【発明の属する技術分野】
本発明は、撮像装置に関し、さらに詳しくは、撮影時でのレリーズタイムラグを解消するための構成に関する。
【０００２】
【従来の技術】
近年のデジタルカメラなどの撮像装置では、小型化の要求に伴ってレンズ鏡筒をカメラ本体内に沈胴収納して携帯性を向上させたり、また、利用者の利便性や塵埃などから撮影レンズを保護するためにレンズ保護バリアをカメラ本体内に内蔵するようにした構成がある。
撮像装置では、撮影開始前に予め鏡筒を収納位置から繰り出して、いわゆる伸長させて所定の基準位置に位置決めすると共に、撮影レンズ前面のレンズ保護バリアを開放させて撮影レンズを外部に露呈させる動作が行われる。
【０００３】
【発明が解決しようとする課題】
一般に、鏡筒の伸張動作やレンズ保護バリアの開放動作は撮像素子や信号処理などの電気的な動作により行われる初期化と違って機構的な動作であるために、動作時間が必要となる。このため、利用者が、例えばレリーズスイッチを投入して撮影モード入力等の撮影操作が開始されてから実際の撮影が可能となるまでの間のタイムラグが存在し、これにより、シャッターチャンスを逃がしてしまう虞がある。
【０００４】
実際の撮影開始までの時間を短縮するための構成として、例えば、特開２０００−２０９４８５号公報や特開２００１−２０８９５２号公報に提案された構成がある。
【０００５】
前者公報には、機械的動作部の起動と電気信号処理部の初期化とが完了したときに撮影可能として、これらの初期化よりも処理時間が要するファイルシステムの初期化完了を待たずに撮影動作を実行できることにより撮影開始までのタイムラグを短縮するための構成が開示されている。
後者公報には、撮影レンズ群の初期設定位置への移動を開始させると共に、レンズ群を除く撮影に必須の手段の初期化を行い、レンズ群を除く撮影に必須の手段の初期化が終了すると、撮影レンズ群の初期化位置移動が終了する前に撮影を開始するための構成が開示されている。
【０００６】
【発明が解決しようとする課題】
上記各公報に開示されている構成においては、いずれの改良も信号処理手段に対する初期値の設定をもって撮影可能としているだけであり、レンズ群の初期移動中における各種パラメータの決定方法や、その基準となる評価値の取得方法について考慮されていない。このため、たとえ撮影が可能であっても撮影パラメータが適切な値になっておらず画質に悪影響を与えてしまう虞がある。そこで、このような不具合を避けるために正しいパラメータを得ようとすると、別途専用のセンサーを用いる等の別の構成が必要となり、撮像装置のコスト上昇を招きかねない。
【０００７】
本発明の目的は、従来の撮像装置における問題、特に、撮影操作が開始されてから実際に撮影動作が実行されるまでのタイムラグを低減若しくはなくすことができる構成を備えた撮像装置を提供することにある。特に、レンズ群初期位置移動中に各種パラメータやその基準となる評価値の取得できるようにして撮影動作が開始された際に直ちに撮影できる構成を備えた撮像装置を提供することにある。
【０００８】
【課題を解決するための手段】
請求項１記載の発明は、光学系を介して入力される被写体像を画像信号として出力する撮像手段と、前記画像信号から設定された範囲の合焦情報を含む撮像に必要なパラメータの評価値を生成する評価値生成手段と、前記画像信号に信号処理を施す信号処理手段と、前記光学系の前面にレンズ保護用のバリアを具備する撮像装置において、起動時、若しくは撮影開始時に前記バリアの開動作を行うバリア駆動手段と、前記バリアの開き状態を検出するバリア状態手段と、前記バリアの開き状態に基づき、前記評価値生成手段でのパラメータの評価値設定内容を変更する手段を備えることを特徴としている。
【０００９】
請求項２記載の発明は、光学系を介して入力される被写体像を画像信号として出力する撮像手段と、前記画像信号から少なくとも合焦情報、露光量およびホワイトバランスを含む撮像に必要なパラメータの評価値を生成する評価値生成手段と、前記画像信号に信号処理を施す信号処理手段と、前記光学系の前面にレンズ保護用のバリアを具備する撮像装置において、起動時、若しくは撮影開始時に前記バリアの開動作を行うバリア駆動手段と、前記バリアの開き状態を検出するバリア状態手段と、前記バリアの開き状態に基づき、前記信号処理対象である前記パラメータの少なくとも一つを補正する手段を備えることを特徴としている。
【００１０】
請求項３記載の発明は、請求項１または２記載の発明に加えて、前記信号処理手段は露光（ゲイン）調整を対象として動作し、露光調整に応じて前記パラメータの評価値設定内容を変更する手段により絞り制御が実行されることを特徴としている。
【００１１】
請求項４記載の発明は、請求項１記載の発明に加えて、前記光学系を駆動して、ピント調整を行うフォーカス手段を具備し、前記評価値設定内容を変更する手段は、前記評価値に基づいて、前記フォーカス手段の制御を行うことを特徴としている。
【００１２】
請求項５記載の発明は、  請求項１乃至４のうちの一つに記載の発明に加えて、前記バリアの開き状態の検出は、前記画像信号の輝度分布若しくは該バリアの駆動部に対する制御状態に基づくことを特徴としている。
【００１３】
請求項６記載の発明は、光学系を介して入力される被写体像を画像信号として出力する撮像手段と、前記画像信号から撮像に必要なパラメータの評価値を生成する評価値生成手段と、前記画像信号に信号処理を施す処理手段と、前記光学系は沈胴式光学系である撮像装置において、前記沈胴式光学系の繰り出し状態を検出する手段と、前記沈胴式光学系の繰り出し状態に基づき、前記信号処理のパラメータを補正する手段を備えることを特徴としている。
【００１４】
【発明の実施の形態】
以下図面により本発明の実施の形態を説明する。
図１は実施形態による撮像装置に相当するデジタルカメラ１００の構成を示すブロック図である。
図１においてデジタルカメラ１００は、レンズ系１０１、絞り・フィルター部等を含むメカ機構１０２、ＣＣＤ１０３、ＣＤＳ回路１０４、可変利得増幅器（ＡＧＣアンプ）１０５、Ａ／Ｄ変換器１０６、ＩＰＰ１０７、ＤＣＴ１０８、コーダー１０９、ＭＣＣ１１０、ＤＲＡＭ１１１、ＰＣカードインタフェース１１２、ＣＰＵ１２１、表示部１２２、操作部１２３、ＳＧ（制御信号生成）部１２６、ストロボ装置１２７、バッテリ１２８、ＤＣ−ＤＣコンバータ１２９、ＥＥＰＲＯＭ１３０、フォーカスドライバ１３１、パルスモータ１３２、ズームドライバ１３３、パルスモータ１３４、モータドライバ１３５を具備して構成されている。また、ＰＣカードインタフェース１１２を介して着脱可能なＰＣカード１５０が接続されている。
【００１５】
レンズユニットは、レンズ系１０１、絞り・フィルター部等を含むメカ機構１０２からなり、メカ機構１０２のメカニカルシャッタは２つのフィールドの同時露光を行う。レンズ系１０１は、例えば、バリフォーカルレンズからなり、フォーカスレンズ系１０１ａとズームレンズ系１０１ｂ、及びレンズバリア１０１ｃとで構成されている。
【００１６】
フォーカスドライバ１３１は、ＣＰＵ１２１から供給される制御信号に従って、フォーカスパルスモータ１３２を駆動して、フォーカスレンズ系１０１ａを光軸方向に移動させる。ズームドライバ１３３は、ＣＰＵ１２１から供給される制御信号に従って、ズームパルスモータ１３４を駆動して、ズームレンズ系１０１ｂを光軸方向に移動させる。
【００１７】
レンズ系１０１は、非撮像状態にある時には、カメラ本体に沈胴式に格納され、撮像状態に移行する際には所定位置へ繰り出される様に構成されており、この繰り出しと格納の動作は前述したズームパルスモータ１３４の駆動により行われる。
【００１８】
モータドライバ１３５は、ＣＰＵ１２１から供給される制御信号に従ってメカ機構１０２を駆動し、絞りの絞り値を設定する。
同様に、バリアドライバ１０１ｄは、ＣＰＵ１２１から供給される制御信号に従って、レンズバリア１０１ｃを駆動し、開閉動作を行う。
【００１９】
ＣＣＤ（電荷結合素子）１０３は、レンズユニットを介して入力した映像を電気信号（アナログ画像データ）に変換する。ＣＤＳ（相関２重サンプリング）回路１０４は、ＣＣＤ型撮像素子に対する低雑音化のための回路である。また、ＡＧＣアンプ１０５は、ＣＤＳ回路１０４で相関２重サンプリングされた信号のレベルを補正する。なお、ＡＧＣアンプ１０５のゲインは、ＣＰＵ１２１により、ＣＰＵ１２１が内蔵するＤ／Ａ変換器を介して設定データ（コントロール電圧）がＡＧＣアンプ１０５に設定されることにより設定される。さらにＡ／Ｄ変換器１０６は、ＡＧＣアンプ１０５を介して入力したＣＣＤ１０３からのアナログ画像データをデジタル画像データに変換する。すなわち、ＣＣＤ１０３の出力信号は、ＣＤＳ回路１０４およびＡＧＣアンプ１０５を介し、またＡ／Ｄ変換器１０６により、最適なサンプリング周波数（例えば、ＮＴＳＣ信号のサブキャリア周波数の整数倍）にてデジタル信号に変換される。
【００２０】
デジタル信号処理部であるＩＰＰ（Ｉｍａｇｅ  Ｐｒｅ−Ｐｒｏｃｅｓｓｏｒ）１０７、ＤＣＴ（Ｄｉｓｃｒｅｔｅ  Ｃｏｓｉｎｅ  Ｔｒａｎｓｆｏｒｍ  ）１０８、およびコーダー（Ｈｕｆｆｍａｎ  Ｅｎｃｏｄｅｒ／Ｄｅｃｏｄｅｒ）１０９は、Ａ／Ｄ変換器１０６から入力したデジタル画像データについて、色差（Ｃｂ、Ｃｒ）と輝度（Ｙ）に分けて各種処理、補正および画像圧縮／伸長のためのデータ処理を施す。
【００２１】
ＭＣＣ（Ｍｅｍｏｒｙ  Ｃａｒｄ  Ｃｏｎｔｒｏｌｌｅｒ）１１０は、圧縮処理された画像を一旦蓄えてＰＣカードインタフェース１１２を介してＰＣカード１５０への記録、或いはＰＣカード１５０からの読み出しを行う。
【００２２】
ＣＰＵ１２１は、ＲＯＭに格納されたプログラムに従ってＲＡＭを作業領域として使用して、操作部１２３からの指示、或いは図示しないリモコン等の外部動作指示に従い、上記デジタルカメラ内部の全動作を制御する。具体的には、ＣＰＵ１２１は、撮像動作、自動露出（ＡＥ）動作、自動ホワイトバランス（ＡＷＢ）調整動作や、ＡＦ動作等の制御を行う。また、計時を行うためのタイマーもＣＰＵ１２１に含まれている。
【００２３】
カメラ電源はバッテリ１２８、例えば、ＮｉＣｄ、ニッケル水素、リチウム電池等から、ＤＣ−ＤＣコンバータ１２９に入力され、当該デジタルカメラ内部に供給される。
【００２４】
表示部１２２は、ＬＣＤ、ＬＥＤ、ＥＬ等で実現されており、撮影したデジタル画像データや、伸長処理された記録画像データ等の表示を行う。操作部１２３は、機能選択、撮影指示、およびその他の各種設定を外部から行うためのボタンを備えている。
【００２５】
ＥＥＰＲＯＭ１３０には、ＣＰＵ１２１がデジタルカメラの動作を制御する際に使用する調整データ等が書き込まれている。具体的には、ＡＥ制御に関わる調整データとして、図３に示すようなＡＥテーブルが数値化されて書かれている。図３に示す如く、ＡＥテーブルは、ＡＥ評価値（例えば、１６ビットデータ）と適正輝度レベル（ｄＥｖ）との関係を示すテーブルであり、ＣＰＵ１２１は、このＡＥテーブルを参照して、ＩＰＰ１０７（後述するＡＥ評価値回路１０８２）から出力されるＡＥ評価値に対応する適正輝度レベルを算出し、撮影した画像データの輝度レベルが算出した適正輝度レベルとなるように自動露出制御をおこなう。
【００２６】
また、ＡＷＢ制御に関わる調整データとして、ＡＷＢ調整テーブルを備えている。調整テーブル値としては例えば、α＝０．０１、β＝０．０１といった値が格納されており、後述するＡＷＢ制御において使用される。
【００２７】
上記したデジタルカメラ１００（ＣＰＵ１２１）は、被写体を撮像して得られる画像データをＰＣカード１５０に記録する記録モードと、ＰＣカード１５０に記録された画像データを表示する表示モードと、撮像した画像データを表示部１２２に直接表示するモニタリングモード等を備えている。
【００２８】
図２は、上記ＩＰＰ１０７の具体的構成の一例を示す図である。
ＩＰＰ１０７は、図２に示す如く、Ａ／Ｄ変換器１０６から入力したデジタル画像データをＲ・Ｇ・Ｂの各色成分に分離する色分離部１０７１と、分離されたＲ・Ｇ・Ｂの各画像データを補間する信号補間部１０７２と、Ｒ・Ｇ・Ｂの各画像データの黒レベルを調整するペデスタル調整部１０７３と、Ｒ、Ｂの各画像データの白レベルを調整するホワイトバランス調整部１０７４と、ＣＰＵ１２１により設定されたゲインでＲ・Ｇ・Ｂの各画像データを補正するデジタルゲイン調整部１０７５と、Ｒ・Ｇ・Ｂの各画像データのγ変換を行うガンマ変換部１０７６と、ＲＧＢの画像データを色差信号（Ｃｂ、Ｃｒ）と輝度信号（Ｙ）とに分離するマトリックス部１０７７と、色差信号（Ｃｂ、Ｃｒ）と輝度信号（Ｙ）とに基づいてビデオ信号を作成し表示部１２２に出力するビデオ信号処理部１０７８とを備えている。
【００２９】
さらに、ＩＰＰ１０７は、ペデスタル調整部１０７３によるペデスタル調整後の画像データの輝度データ（Ｙ）を検出するＹ演算部１０７９と、Ｙ演算部１０７９で検出した輝度データ（Ｙ）の所定周波数成分のみを通過させるＢＰＦ１０８０と、ＢＰＦ１０８０を通過した輝度データ（Ｙ）の積分値をＡＦ評価値としてＣＰＵ１２１に出力するＡＦ評価値回路１０８１と、Ｙ演算部１０７９で検出した輝度データ（Ｙ）に応じたデジタルカウント値をＡＥ評価値としてＣＰＵ１２１に出力するＡＥ評価値回路１０８２と、デジタルゲイン調整部１０７５によるゲイン調整後のＲ・Ｇ・Ｂの各画像データの輝度データ（Ｙ）を検出するＹ演算部１０８３と、Ｙ演算部１０８３で検出した各色の輝度データ（Ｙ）をそれぞれカウントして各色のＡＷＢ評価値としてＣＰＵ１２１に出力するＡＷＢ評価値回路１０８４と、ＣＰＵ１２１とのインターフェイスであるＣＰＵＩ／Ｆ１０８５と、ＤＣＴ１０８とのインターフェイスであるＤＣＴＩ／Ｆ１０８６、及びＤＲＡＭとのインターフェイスであるＤＲＡＭＩ／Ｆ１０８７等を備えている。
【００３０】
上記したホワイトバランス調整部１０７４は、Ｒ、Ｂ毎に、乗算器１０７４ｒ、１０７４ｂを備えており、各乗算器１０７４ｒ、１０７４ｂに入力するＲ・Ｂの画像データに、ＣＰＵ１２１で設定されるＲ、Ｂの各ゲインデータをそれぞれ乗算し、画像データのホワイトバランスを調整する。なお、上記ＡＷＢ評価値・白抽出設定回路１０８４の輝度範囲（色温度範囲：白検出エリア）は、ＣＰＵ１２１により設定される。
【００３１】
上記したデジタルゲイン調整部１０７５は、ＲＧＢ毎に、乗算器１０７５ｒ、１０７５ｇ、１０７５ｂを備えており、各乗算器１０７５ｒ、１０７５ｇ、１０７５ｂに入力するＲ・Ｇ・Ｂの画像データに、ＣＰＵ１２１で設定されるＲＧＢの各ゲインデータをそれぞれ乗算し、Ｒ・Ｇ・Ｂの画像データの信号レベルを調整する。
【００３２】
図４には、全画面の評価値のエリア分割が表されている。撮影画素数６４０×４８０画素に対して、これを１エリアにつき８０×８０画素となるように、垂直方向に６分割、水平方向に８分割されている。このエリア単位で、前述したＡＥ評価値、ＡＦ評価値、ＡＷＢ評価値の各々について個別に検出範囲を設定し、値を取得することができる。
【００３３】
次に、上記デジタルカメラ１００における自動露出（ＡＥ）制御に関わる動作について説明する。
ＣＰＵ１２１は、ＩＰＰ１０７から取り込んだＡＥ評価値に対応する適正輝度レベルを、ＥＥＰＲＯＭ１３０に格納されたＡＥテーブル（図３参照）を参照して算出し、この適正輝度レベルに基づいて、ＡＧＣアンプ１０５に設定するゲインデータおよびデジタルゲイン調整部１０７５の各乗算器１０７５ｒ、１０７５ｇ、１０７５ｂに乗算するＲＧＢのゲインデータを算出する。続いて、ＣＰＵ１２１は、撮像して取り込まれた画像データに対して、算出したゲインデータをＡＧＣアンプ１０５に設定すると共に、算出したＲＧＢのゲインデータを、デジタルゲイン調整部１０７５の乗算器１０７５ｒ、１０７５ｇ、１０７５ｃにそれぞれ乗算して、撮像信号の信号レベルを調整して自動露出制御を行う。
【００３４】
自動露出制御の対象は、必ずしも上記した如く、ＡＧＣアンプ１０５及びデジタルゲイン調整部１０７５の両者に限られるものではなく、ＡＧＣアンプ１０５、デジタルゲイン調整部１０７５のいずれか一方としても良く、また、絞り量や、シャッター速度をＡＥ評価値に基づいて設定して自動露出制御を行ことにしても良い。すなわち、自動露出制御を行う対象は、ＡＧＣアンプ１０５、デジタルゲイン調整部１０７５、絞り、シャッター速度のうちいずれか１又は複数とすることができる。
【００３５】
次に、上記デジタルカメラ１００におけるオートフォーカス（ＡＦ）制御に関わる動作について説明する。
ＣＰＵ１２１は、ＡＦ制御では、シャッター速度及びＡＧＣアンプ１０５のゲインを設定してから、フォーカスドライバ１３１を介して、パルスモータ１３２を１Ｖｄ期間に規定パルス駆動してフォーカスレンズ系１０１ａを移動させながら、ＡＦ評価値をサンプリングし、そして、サンプリングしたＡＦ評価値のピーク位置を合焦位置として、フォーカスレンズ系１０１ａを合焦位置に駆動する。
【００３６】
次に、上記デジタルカメラ１００におけるオートホワイトバランス（ＡＷＢ）制御に関わる動作について説明する。
ＣＰＵ１２１は、ＥＥＰＲＯＭ１３０内の前述したＡＷＢ調整テーブルから演算定数（α＝０．０１、β＝０．０１）を読み出し、また、ＡＷＢ調整のための画像データの取込みを行い、ＡＷＢ評価値をＩＰＰ１０７から取り込んでＲＡＭに格納する。そして、ＡＷＢ調整に使用するゲイン値を算出する。具体的には、読み出した演算定数（α＝０．０１、β＝０．０１）を使用して、式１、式２を満たすゲイン値を算出する。
【００３７】
１−α≦ΣＲ／ΣＧ≦１＋α・・・（式１）
１−β≦ΣＢ／ΣＧ≦１＋β・・・（式２）
但し、
ΣＲ：Ｒ信号のＡＷＢ評価値の積算値
ΣＧ：Ｇ信号のＡＷＢ評価値の積算値
ΣＢ：Ｂ信号のＡＷＢ評価値の積算値
α、β：許容範囲を表す定数であり、例えば、α＝β＝０．０１
このＡＷＢ調整モードでは、画像信号のＲ成分、Ｇ成分、Ｂ成分を略１：１：１にするためのゲインが算出される。
続いて、ＣＰＵ１２１は、算出したゲイン値をホワイトバランス調整部２０４のＲとＢの乗算器２０４ｒ、２０４ｂにそれぞれ乗算してゲイン値の設定を行う。
【００３８】
次に、本発明のデジタルカメラの動作について説明する。
図６は、請求項１記載の発明の実施態様によるデジタルカメラの動作を説明するためのフローチャートである。
図６において、装置の電源オン、あるいは利用者の操作によって撮像開始が設定されると（ＳＴ１−１）、ＣＰＵ１２１はバリアドライバ１０１ｄを駆動して、レンズバリアの開動作を開始する（ＳＴ１−２）。
さらにＣＰＵ１２１は、ＩＰＰ１０７に初期設定を行い、ＩＰＰ１０７はＳＧ１２６へ駆動パルスを出力し、ＣＣＤの駆動を開始する（ＳＴ１−３）。
【００３９】
ＣＰＵ１２１は、ＩＰＰ１０７への設定状態を読み出し、有効な評価値エリアが設定されていれば（ＳＴ１−４）、ＡＥ、ＡＦ、ＡＷＢ処理を実行し、結果に基づいた設定をＩＰＰ１０７に行う（ＳＴ１−５）。この動作は、請求項１および２に記載の発明の実施形態に相当している。
【００４０】
また、必要に応じて、モータドライバ１３５を駆動して絞りの切り替えも行う。この動作は請求項４記載の発明の実施形態に相当している。
続いて、ＣＰＵ１２１は、後述する手段でバリアの開状態を検出し（ＳＴ１−６）、検出結果に基づき評価値エリアの設定をＩＰＰ１０７で行う（ＳＴ１−７）。
【００４１】
ここで、バリアの開状態に対する評価値エリアの設定方法について説明する。
図５（Ａ）は、バリアの開口状態と有効とする評価値エリアとの関係を示す図である。
同図において、上側がレンズバリアの開口状態、下側が対応する有効とする評価値エリアの設定内容（斜線）を示している。図示したように、開口動作に応じて評価値エリアを拡大していくことによって、これにより開口動作中であってもＡＥ、ＡＦ、ＡＷＢ処理を可能としている。
【００４２】
以上の動作をレンズバリアが全開するまで繰り返し行い（ＳＴ１−８）、レンズバリアが全開すると通常動作に切り替える（ＳＴ１−９）。
【００４３】
次に請求項項２の実施形態によるデジタルカメラの動作について図７により説明する。
ＣＣＤの駆動開始に至るまでの動作は、図６に示した請求項１記載の発明の実施形態によるデジタルカメラと同じである（ＳＴ２−１〜３）。
ＣＰＵ１２１は、後述する手段でバリアの開状態を検出し（ＳＴ２−４）、検出結果に基づきＡＥ評価値に補正を加え、ＡＥ処理を実行する（ＳＴ２−５）。また、必要に応じて、モータドライバ１３５を駆動して絞りの切り替えも行う。
【００４４】
ここで、バリアの開状態に対するＡＥ評価値の補正方法について説明する。
得られた評価値に対して、式３に従ってＡＥ評価値に補正を加える。
【００４５】
ｄｃ‘  ＝  ｄｃ  ｘ  １００  ／  ｏｐ  …（式３）
ここで、
ｄｃ‘：補正後の評価値
ｏｐ  ：開口状態（％）
ｄｃ  ：ＩＰＰから得られた評価値
である。この場合での評価エリアは、全面が有効となっている。
【００４６】
以上の動作をレンズバリアが全開するまで繰り返し行い（ＳＴ２−６）、レンズバリアが全開すると通常動作に切り替える（ＳＴ２−７）。
【００４７】
ここで、バリア開状態の検出方法について説明する。
図８にはバリアの開き状態の検出方法の一つとして、開放起動開始からの時間（計時時間）に基づき開き状態を検出する方法のフローチャートが示されている。
図８において、図６中、ステップＳＴ１−２に示したように、バリアドライバの起動開始と同時にＣＰＵ１２１内のタイマーを初期化する。
ＣＰＵ１２１は、タイマー値を読み込み（ＳＴ３−１）、表１に示すような、あらかじめＥＥＰＲＯＭ１３０内に格納されている参照テーブルによりバリアの開状態を判定する（ＳＴ３−２）。
【００４８】
【表１】
0003954879.tif 000002
【００４９】
図９には、バリアの開き状態を検出する方法の別例として、画像信号の輝度分布に基づき開き状態を検出する方法のフローチャートが示されている。
【００５０】
図９において、ＣＰＵ１２１は、ＤＲＡＭ１１１に格納された画像データのうち、図５（Ｂ）に示した読み込みポイントに相当するアドレスの輝度データを読み込み（ＳＴ４−１）、読み込んだ輝度データが所定の値以下であるか否かにより開状態を判定する（ＳＴ４−２）。
【００５１】
図５（Ｂ）において上側はレンズバリアの開状態、下側は画像データの読み込みポイントを示している。図５（Ｂ）に示した例においては、５の読み出しデータまでは、所定値以上の輝度データであるのに対して、その外側のデータ６は所定値以下の値となり、この境界点５を基に、表２に示すような、あらかじめＥＥＰＲＯＭ１３０内に格納されている参照テーブルによりバリアの開状態を判定する。なおこのとき、読み出したデータに対してあらかじめＡＥ処理によりデジタルゲイン調整部１０７５で加えられているゲイン値を加味して、境界値（前記の所定値）に補正を加えても良い。
【００５２】
【表２】
0003954879.tif 000003
【００５３】
次に、請求項６記載の発明の実施形態によるデジタルカメラの動作を図１０により説明する。
図１０において、装置の電源オン、あるいは利用者の操作によって撮像開始が設定されると（ＳＴ５−１）、ＣＰＵ１２１はズームドライバ１３３を駆動して、レンズ系１０２の繰り出し動作を開始する（ＳＴ５−２）。
さらにＣＰＵ１２１は、ＩＰＰ１０７に初期設定を行い、ＩＰＰ１０７はＳＧ１２６へ駆動パルスを出力し、ＣＣＤの駆動を開始する（ＳＴ５−３）。
【００５４】
ＣＰＵ１２１は、後述する手段でレンズ系の繰り出し状態を検出し（ＳＴ５−４）、検出結果に基づきＡＥ評価値に補正を加え、ＡＥ処理を実行する（ＳＴ５−５）。また、必要に応じて、モータドライバ１３５を駆動して絞りの切り替えも行う。
【００５５】
ここで、レンズの繰り出し状態に対するＡＥ評価値の補正方法について説明する。  得られた評価値に対して、式４に従ってＡＥ評価値に補正を加える。
ｄｃ‘  ＝  ｄｃ  ｘ  １００  ／  ｃｏ  …（式４）
ここで、
ｄｃ‘：補正後の評価値
ｃｏ  ：表３から得られる補正率（％）
ｄｃ  ：ＩＰＰから得られた評価値
である。
表３は、あらかじめＥＥＰＲＯＭ１３０内に格納されている参照テーブルであり、ＣＰＵ１２１は式４の演算を行う際に該テーブルを参照して演算を行う。
【００５６】
【表３】
0003954879.tif 000004
【００５７】
以上の動作をレンズの繰り出しが完了するまで繰り返し行い（ＳＴ５−６）、繰り出しが完了すると通常動作に切り替える（ＳＴ５−７）。
【００５８】
ここで、レンズの繰り出し状態の検出方法について図１１により説明する。
本実施例では、計時情報によりレンズの繰り出し状態を判定する。
図１１においてステップＳＴ５−２で示したようにズームドライバの起動開始と同時にＣＰＵ１２１内のタイマーを初期化する。
【００５９】
ＣＰＵ１２１は、タイマー値を読み込み（ＳＴ６−１）、表４に示すような、あらかじめＥＥＰＲＯＭ１３０内に格納されている参照テーブルによりレンズの繰り出し状態を判定する（ＳＴ６−２）。
【００６０】
【表４】
0003954879.tif 000005
【００６１】
上記実施形態においては、図６に示したフローチャートで説明したように、評価エリアの分割状態を同一にしたままその有効エリアを設定する例を示したが、本発明では、エリアの分割数や分割形態を変更する様な構成を用いることも可能である。また、小エリア毎に評価値が得られる様な構成において、全エリアを有効エリアとしておき、各小エリア毎に得られる値をＣＰＵ１２１での判定において有効／無効としても良い。
【００６２】
さらに、請求項５記載の発明の実施形態において、バリアの開き状態を画像信号の輝度分布を用いて、ＣＰＵ１２１からＤＲＡＭ１１１内に格納された輝度データを元に開状態を判定する例について示したが、ＡＥ評価値が小エリア毎に得られる様な構成において、ＡＥ評価値を用いて判定しても良い。
【００６３】
請求項５記載および６記載の発明の実施形態において、バリアの開き状態あるいはレンズの繰り出し状態をモータドライバの動作状態を用いて計時情報からレンズバリアの開状態、あるいはレンズの繰り出し状態を判定する例について示したが、ステッピングモーターによる駆動パルス数によって判定する様に構成しても良い。
【００６４】
【発明の効果】
請求項１記載の発明によれば、レンズバリアの開き状態に応じて評価値生成範囲を変更するようになっているので、レンズバリアの開動作中であっても、適切な評価値を得ることができ、これにより適切な信号処理を行えることになり、レンズバリアの全開後、待機時間（タイムラグ）を感じることなく直ぐに良好な画像が得られる状態とすることが可能となる。
【００６５】
請求項２記載の発明によれば、レンズバリアの開き状態に応じて信号処理パラメータを補正することができるので、レンズバリアの開動作中であっても、適切な信号処理を行うことができることにより、レンズバリアの全開後、直ぐに良好な画像が得られる状態とすることができる。特に、レンズバリアの開き状態に応じて露光量の評価値生成範囲を変更したり、露光調整パラメータを補正、さらにはホワイトバランス制御を行えるので、レンズバリアの開動作中であっても、適切な露光制御を行えることになり、レンズバリアの全開後、直ぐに良好な画像が得られる状態に設定することが可能となる。
【００６６】
請求項３記載の発明によれば、絞り制御手段を合わせて制御する様に構成されているので、請求項２記載の発明に加えてさらに広範囲の露光量制御を可能にすることができる。
【００６７】
請求項４記載の発明によれば、レンズバリアの開き状態に応じてオートフォーカス用評価値生成範囲を変更することができるので、レンズバリアの開動作中であっても、適切なオートフォーカス制御を行うことができることにより、レンズバリアの全開後、直ぐに良好な画像が得られる状態とすることが可能となる。
【００６８】
請求項５記載の発明によれば、レンズバリアの開き状態を画像信号の輝度分布若しくはバリアの駆動部に対する制御状態により検出するようになっているので、バリア形状や開き動作速度に依存することなく開き状態を検出することができ、これにより、バリア形状の開き状態を検知するセンサや検出判定ソフトなどを準備することなく、既存構成を用いて開き状態を正確に検出することが可能となる。
【００６９】
請求項６記載の発明によれば、沈胴式光学系の繰り出し状態に応じて信号処理パラメータを補正することができるので、光学系の繰り出し動作中であっても、適切な信号処理を行うことができることにより、光学系の繰り出し完了後、直ぐに良好な画像が得られる状態とすることが可能となる。
【図面の簡単な説明】
【図１】本発明の実施形態による撮像装置に相当するデジタルカメラの構成を説明するためのブロック図である。
【図２】図１に示したＩＰＰの具体的構成の一つを示す図である。
【図３】図１に示したフラッシュメモリに格納されるＡＥテーブルの位置例を示す線図である。
【図４】本実施形態における全画面を対象とした評価値のエリア分割を説明するための図である。
【図５】図４に示した全画面でのバリアの開き状態の検出方式を説明するための図であり、（Ａ）は、バリアの開口状態と有効評価値エリアとの関係を、（Ｂ）は、バリアの開口状態判定用の画像データ読み込みポイントを説明する図である。
【図６】請求項１記載の発明の実施形態によるデジタルカメラの動作を説明するためのフローチャートである。
【図７】請求項２記載の発明の実施形態によるデジタルカメラの動作を説明するためのフローチャートである。
【図８】バリアの開き状態の検出方法の一つとして、開放起動開始からの時間（計時時間）に基づき開き状態を検出する方法を説明するためのフローチャートである。
【図９】バリアの開き状態を検出する方法の別例として、画像信号の輝度分布に基づき開き状態を検出する方法を説明するためのフローチャートである。
【図１０】請求項６記載の発明の実施形態によるデジタルカメラの動作を説明するためのフローチャートである。
【図１１】レンズの繰り出し状態を検出するための動作を説明するフローチャートである。
【符号の説明】
１００  撮像装置であるデジタルカメラ
１０１  レンズ系
１０１ｄ  バリアドライバ
１０３  撮像手段であるＣＣＤ
１０７  信号処理手段
１２１  評価値変更手段をなすＣＰＵ
１３１  フォーカスドライバ
１３３  ズームドライバ
１０８１  オートフォーカス（ＡＦ）評価値回路
１０８２  自動露光量（ＡＥ）評価値回路
１０８４  ホワイトバランス（ＡＷＢ）評価値回路
【図１】
0003954879.tif 000006
【図２】
0003954879.tif 000007
【図３】
0003954879.tif 000008
【図４】
0003954879.tif 000009
【図５】
0003954879.tif 000010
【図６】
0003954879.tif 000011
【図７】
0003954879.tif 000012
【図８】
0003954879.tif 000013
【図９】
0003954879.tif 000014
【図１０】
0003954879.tif 000015
【図１１】
0003954879.tif 000016